(57)【要約】      （修正有）【課題】天井パネルが並ぶ方向に沿って照明装置を設置できる浴室天井の施工方法を提供する。【解決手段】一方に点検口が設けられた２枚の矩形状の天井パネルの並びの浴室の端から端にわたって照明装置を設置する浴室天井の施工方法において、天井パネルが２枚並ぶ方向と並行となる第１の側壁３１０の上端部、第２の側壁３２０と第３の側壁３３０の第１の側壁寄りの上端部に、照明装置を取付け固定し、２枚の天井パネルのうち、第２の側壁側の第一の天井パネル４１０を、第１の側壁と対向する第４の側壁３４０の上端部、第２の側壁の上端部、照明装置の天井パネル側に載置した状態で第２の側壁及び第４の側壁の上端部に取付け固定し、第３の側壁側であって点検口が設けられた第二の天井パネルを、第４の側壁の上端部、第３の側壁の上端部、照明装置の天井パネル側に載置した状態で第３の側壁及び第４の側壁の上端部に取付け固定する。【選択図】図１０
2014185432.tif 000002
【特許請求の範囲】
【請求項１】
四方が側壁で覆われた浴室の天井を、少なくとも一方に点検口が設けられた２枚の矩形状の天井パネルを並べて構成し、前記２枚の天井パネルの並びと並行となるように前記浴室の端から端にわたって照明装置を設置する浴室天井の組み立て方法において、
前記側壁のうち、前記天井パネルが２枚並ぶ方向と並行となる第１の側壁の上端部及び、前記第１の側壁の両端部に接続される第２の側壁と第３の側壁の前記第１の側壁寄りの上端部に、前記照明装置を取付け固定し、
ついで、前記２枚の天井パネルのうち、前記第２の側壁側の第一の天井パネルを、前記第１の側壁と対向する第４の側壁の上端部、前記第２の側壁の上端部、前記照明装置の前記天井パネル側に載置した状態で前記第２の側壁及び第４の側壁の上端部に取付け固定し、
さらに、前記２枚の天井パネルのうち、前記第３の側壁側であって前記点検口が設けられた第二の天井パネルを、前記第４の側壁の上端部、前記第３の側壁の上端部、前記照明装置の前記天井パネル側に載置した状態で前記第３の側壁及び第４の側壁の上端部に取付け固定したことを特徴とする浴室天井の組み立て方法。
【請求項２】
前記第一の天井パネル及び第二の天井パネルを前記側壁に取付け固定した後に、前記第一の天井パネルと第二の天井パネルとを上面側で接続する接続金具を、前記浴室内から前記点検口を通して前記第一及び第二の天井パネルの上面側に配設して、前記点検口から手を伸ばして前記接続金具と前記第一の天井パネル及び第二の天井パネルとを接続することを特徴とする請求項１記載の浴室天井の組み立て方法。
【発明の詳細な説明】
【技術分野】
【０００１】
本発明は、パネルを組み立てて構成される浴室の天井の組み立て方法に関するものである。
【０００２】
一般的に、ユニットバス風の浴室の天井においては、複数の天井パネルが並べられることが多い。この場合、複数の天井パネルの並列方向は、浴槽と洗い場との並列方向と略平行となる。例えば、第１の天井パネルが浴槽の上に設けられ、第２の天井パネルが洗い場の上に設けられている。また、照明装置が浴室の天井に埋め込まれ設置される場合には、照明装置は、天井パネルに設けられた開口部を通して天井パネルの上面に取り付けられる。
このような構造の浴室では、天井パネルに形成された開口部の上面から照明装置を取付け固定し、照明装置付きの天井パネルを浴室の壁パネルの上端部に取付ける組み立て方法を採用していた。
【０００３】
一方で、浴室の壁面に沿って、かつ、浴槽の上と洗い場の上とを跨ぐように照明装置を設置したいという要望がある。
このような要望に対して、前述した組み立て方法を採用すると、天井が複数の天井パネルに分割されていると、複数の天井パネルに跨って照明装置を設置することができない。そのため、天井パネルが並ぶ方向に沿って照明装置を設置することができなかった。
【先行技術文献】
【特許文献】
【０００４】
【特許文献１】特開平４−９２０５７号公報
【特許文献２】特開２００２−２１６５１８号公報
【発明の概要】
【発明が解決しようとする課題】
【０００５】
本発明は、上記した課題の認識に基づいてなされたものであり、天井パネルが並ぶ方向に沿って照明装置を設置することができる浴室天井の施工方法を提供することを目的とする。
【課題を解決するための手段】
【０００６】
上記課題を解決するために、本発明は、四方が側壁で覆われた浴室の天井を、少なくとも一方に点検口が設けられた２枚の矩形状の天井パネルを並べて構成し、前記２枚の天井パネルの並びと並行となるように前記浴室の端から端にわたって照明装置を設置する浴室天井の組み立て方法において、前記側壁のうち、前記２枚の天井パネルが並ぶ方向と並行となる第１の側壁の上端部及び、前記第１の側壁の両端部に接続される第２の側壁と第３の側壁の前記第１の側壁寄りの上端部に、前記照明装置を取付け固定し、ついで、前記２枚の天井パネルのうち、前記第２の側壁側の第一の天井パネルを、前記第１の側壁と対向する第４の側壁の上端部、前記第２の側壁の上端部、前記照明装置の前記天井パネル側に載置した状態で前記第２の側壁及び第４の側壁の上端部に取付け固定し、さらに、前記２枚の天井パネルのうち、前記第３の側壁側であって前記点検口が設けられた第二の天井パネルを、前記第４の側壁の上端部、前記第３の側壁の上端部、前記照明装置の前記天井パネル側に載置した状態で前記第３の側壁及び第４の側壁の上端部に取付け固定することを特徴とする。
【０００７】
これによれば、天井パネルが並ぶ方向に沿って、すなわち、天井パネルが並ぶ方向と平行に、壁から壁まで達する長さの照明装置を天井に設置した浴室を容易に組み立てることができる。
また、天井パネルを取り付ける前に照明装置を側壁に取付け固定するので、天井パネルのうち側壁では支持されない領域を照明装置で支持することができるので、２枚の天井パネルを楽に施工することができる。
【０００８】
また、本発明では、前記第一の天井パネル及び第二の天井パネルを前記側壁に取付け固定した後に、前記第一の天井パネルと第二の天井パネルとを上面側で接続する接続金具を、前記浴室内から前記点検口を通して前記第一及び第二の天井パネルの上面側に配設して、前記点検口から手を伸ばして前記接続金具と前記第一の天井パネル及び第二の天井パネルとを接続するのも好ましい。
【０００９】
これによれば、点検口を利用して２枚の天井パネル同士を接続金具で繋ぐ作業を行うので、楽に施工できる。
【発明の効果】
【００１０】
本発明によれば、天井パネルが並ぶ方向に沿って照明装置を設置することができる浴室天井の施工方法を提供することが可能となる。
【図面の簡単な説明】
【００１１】
【図１】本発明の実施の形態にかかる浴室の天井構造を備える浴室ユニットを例示する模式的斜視図である。
【図２】本発明の他の実施の形態にかかる浴室の天井構造を備える浴室ユニットを例示する模式的平面図である。
【図３】本実施形態にかかる浴槽の天井構造を表す模式図である。
【図４】本実施形態の浴室用付属設備を表す模式図である。
【図５】本実施形態の第１の天井パネルを表す模式的斜視図である。
【図６】本実施形態の第２の天井パネルを表す模式的斜視図である。
【図７】本実施形態の第１の天井パネルを図５に表した矢視Ｂ１の方向にみたときの模式的平面図である。
【図８】本実施形態の接続金具を表す模式的斜視図である。
【図９】本実施形態にかかる浴室の天井構造を組み立て工程の一例を例示する模式的斜視図である。
【図１０】本実施形態にかかる浴室の天井構造を組み立て工程の一例を例示する模式的斜視図である。
【図１１】本実施形態にかかる浴室の天井構造を組み立て工程の一例を例示する模式的斜視図である。
【図１２】本実施形態にかかる浴室の天井構造を組み立て工程の一例を例示する模式的斜視図である。
【図１３】本実施形態にかかる浴室の天井構造を組み立て工程の一例を例示する模式的斜視図である。
【発明を実施するための形態】
【００１２】
以下、本発明の実施の形態について図面を参照しつつ説明する。なお、各図面中、同様の構成要素には同一の符号を付して詳細な説明は適宜省略する。
図１は、本発明の実施の形態にかかる浴室の天井構造を備える浴室ユニットを例示する模式的斜視図である。
図２は、本発明の他の実施の形態にかかる浴室の天井構造を備える浴室ユニットを例示する模式的平面図である。
図２（ａ）および図２（ｂ）は、本実施形態の浴室ユニットを上方から眺めた模式的平面図である。図２（ｂ）では、説明の便宜上、天井材および照明装置を省略している。
【００１３】
図１に表した浴室ユニット１０は、洗い場１００と、浴槽２００と、壁材３００と、天井材４００と、照明装置５００と、を備える。
洗い場１００は、周縁部が上側に折り曲げられた浅底の器状（パン状）に形成され、浴室外部に水を漏出させない防水性を有する。なお、本願明細書において「水」という場合には、冷水のみならず、加温されたお湯も含むものとする。
浴槽２００は、洗い場１００と並列して配置されている。
【００１４】
壁材３００は、洗い場１００および浴槽２００の少なくともいずれかの上に立設され、浴室ユニット１０の４面の側壁を形成する。壁材３００は、第１の壁パネル３１０と、第２の壁パネル３２０と、第３の壁パネル３３０と、図示しない第４の壁パネル３４０（図２参照）と、を有する。例えば、図示しないドアが図示しないドア枠を介して第４の壁パネル３４０に設けられている。この第１〜４の壁パネル３１０、３２０、３３０、３４０のそれぞれは、複数のパネルを有していてもよい。なお、本実施形態における第２の壁パネルが本発明の「第１の側壁」に相当し、第１の壁パネルと第３の壁パネルが「第２の側壁」および「第３の側壁」に相当し、第４の壁パネルが「第４の側壁」に相当する。
【００１５】
洗い場１００および浴槽２００の上方には、天井材４００および照明装置５００が設けられている。
天井材４００は、複数の天井パネルを有し、壁材３００の上端部に取り付け固定されている。図１に表した浴室ユニット１０および図２に表した浴室ユニット２０では、天井材４００は、第１の天井パネル４１０と、第２の天井パネル４２０と、を有する。第１の天井パネル４１０および第２の天井パネル４２０は、並べて配置されている。具体的には、第１の天井パネル４１０および第２の天井パネル４２０の並列方向Ａ１は、洗い場１００および浴槽２００の並列方向Ａ２と略平行である。
【００１６】
なお、図２（ａ）および図２（ｂ）に表した浴室ユニット２０ように、第２の壁パネル３２０からみたときの洗い場１００と浴槽２００との配設位置は、図１に表した浴室ユニット１０において第２の壁パネル３２０からみたときの洗い場１００と浴槽２００との配設位置と反対であってもよい。この場合でも、第１の天井パネル４１０および第２の天井パネル４２０の並列方向Ａ１は、洗い場１００および浴槽２００の並列方向Ａ２と略平行である。
【００１７】
照明装置５００は、比較的長尺な形状を有し、壁材３００の上端部に取り付け固定されている。照明装置５００は、洗い場１００および浴槽２００の両方に接続された壁材３００のうちの１つ（図１および図２では第２の壁パネル３２０）に沿って浴室ユニット１０の一端から他端にわたって設置されている。つまり、照明装置５００は、洗い場１００と浴槽２００との境界部を横断している。あるいは、照明装置５００は、洗い場１００の上方と浴槽２００の上方とを跨いで設置されている。図１に表した浴室ユニット１０では、照明装置５００は、第１の壁パネル３１０から第３の壁パネル３３０まで延在している。
【００１８】
図３は、本実施形態にかかる浴槽の天井構造を表す模式図である。
図４は、本実施形態の照明装置を表す模式図である。
図５は、本実施形態の第１の天井パネルを表す模式的斜視図である。
図６は、本実施形態の第２の天井パネルを表す模式的斜視図である。
図７は、本実施形態の第１の天井パネルを図５に表した矢視Ｂ１の方向にみたときの模式的平面図である。
図８は、本実施形態の接続金具を表す模式的斜視図である。
【００１９】
図３（ａ）は、本実施形態にかかる浴室の天井構造を表す模式的斜視図である。図３（ｂ）は、図３（ａ）に表した切断面Ａ−Ａにおける模式的断面図である。図４（ａ）は、本実施形態の照明装置を表す模式的斜視図である。図４（ｂ）は、図４（ａ）に表した切断面Ｂ−Ｂにおける模式的断面図である。
【００２０】
図３（ａ）および図３（ｂ）に表したように、本実施形態にかかる浴室の天井構造４０は、第１の天井パネル４１０と、第２の天井パネル４２０と、照明装置５００と、を有する。
図３（ｂ）、図４（ａ）および図４（ｂ）に表したように、照明装置５００は、照明装置本体５１０と、カバー部５２０と、照明具５３０と、接続金具５４０と、を有する。
【００２１】
照明装置本体５１０は、例えば繊維強化プラスチック（ＦＲＰ：Fiber Reinforced Plastics）などの樹脂により形成され、例えば発光ダイオード（ＬＥＤ：Light Emitting Diode）などの照明具５３０を内蔵する。
【００２２】
カバー部５２０は、例えばアルミニウム（Ａｌ）などの金属により形成され、照明装置本体５１０の上部に固定されている。例えば、カバー部５２０は、接着剤により照明装置本体５１０の上部に接着されている。図４（ａ）に表したように、カバー部５２０は、貫通孔５２３を有する。また、照明装置本体５１０は、カバー部５２０の貫通孔５２３の下方において図示しない貫通孔を有する。
【００２３】
図３（ｂ）に表したように、第２の壁パネル３２０は、上端部において上方に突出した雄ねじ３２１を有する。雄ねじ３２１は、第２の壁パネル３２０の上端部に固定されている。照明装置本体５１０およびカバー部５２０は、第２の壁パネル３２０の雄ねじ３２１が照明装置本体５１０の図示しない貫通孔およびカバー部５２０の貫通孔５２３に通された状態で第２の壁パネル３２０の上端部に載置されている。そして、例えば蝶ねじなどの雌ねじ５５９が第２の壁パネル３２０の雄ねじ３２１と螺合することで、照明装置本体５１０およびカバー部５２０は、第２の壁パネル３２０の上端部に取り付け固定されている。また、照明装置本体５１０の左右両端は、第１の壁パネル３１０の上端部と第３の壁パネル３３０の上端部に載置されて取り付けられている。
【００２４】
図３（ｂ）および図４（ｂ）に表したように、カバー部５２０の一端部には、嵌合突起５２１が設けられている。嵌合突起５２１は、上方へ突出している。
一方、図３（ｂ）、図５および図７に表したように、第１の天井パネル４１０は、矩形状を呈し、各辺において、第１の結合部４１５と、第２の結合部４１６と、第３の結合部４１７と、第４の結合部４１８と、を有する。図３（ｂ）および図７に表したように、第１の結合部４１５の側面には、被嵌合部４１１が付設されている。被嵌合部４１１は、カバー部５２０の嵌合突起５２１と嵌合可能である。つまり、第１の天井パネル４１０の第１の結合部４１５が設けられた端縁部は、被嵌合部４１１がカバー部５２０の嵌合突起５２１と嵌合することで照明装置５００に支持されている。
【００２５】
図２（ａ）に表したように、第２の結合部４１６は、第３の壁パネル３３０の上端部と嵌合する。第３の結合部４１７は、第４の壁パネル３４０の上端部と嵌合する。これにより、第１の天井パネル４１０は、照明装置５００に支持されるとともに、第３の壁パネル３３０および第４の壁パネル３４０に取り付け固定されている。
【００２６】
図６に表したように、第２の天井パネル４２０は、矩形状を呈し、各辺において、第１の結合部４２５と、第２の結合部４２６と、第３の結合部４２７と、第４の結合部４２８と、を有する。図３（ｂ）および図７に関して前述した第１の天井パネル４１０の被嵌合部４１１と同様に、第１の結合部４２５の側面には、図示しない被嵌合部が付設されている。第２の天井パネル４２０の図示しない被嵌合部は、カバー部５２０の嵌合突起５２１と嵌合可能である。つまり、第２の天井パネル４２０の第１の結合部４２５が設けられた端縁部は、図示しない被嵌合部がカバー部５２０の嵌合突起５２１と嵌合することで照明装置５００に支持されている。
【００２７】
図２（ａ）に表したように、第２の結合部４２６は、第１の天井パネル４１０の第４の結合部４１８と嵌合する。第３の結合部４２７は、第４の壁パネル３４０の上端部と嵌合する。第４の結合部４２８は、第１の壁パネル３１０の上端部と嵌合する。これにより、第２の天井パネル４２０は、照明装置５００に支持されるとともに、第１の壁パネル３１０および第４の壁パネル３４０に取り付け固定されている。
【００２８】
図５に表したように、第１の天井パネル４１０の第１の結合部の一端部には、雄ねじ４１３が設けられている。雄ねじ４１３は、第１の天井パネル４１０の第１の結合部４１５の上面から上方へ向かって突出している。
図６に表したように、第２の天井パネル４２０の第１の結合部の一端部には、雄ねじ４２３が設けられている。雄ねじ４２３は、第２の天井パネル４２０の第１の結合部４２５の上面から上方へ向かって突出している。
【００２９】
図８に表したように、接続金具５４０は、貫通孔５４１を有する。接続金具５４０は、第１の天井パネル４１０の雄ねじ４１３および第２の天井パネル４２０の雄ねじ４１３のそれぞれが接続金具５４０の貫通孔５４１に通された状態で、照明装置５００、第１の天井パネル４１０および第２の天井パネル４２０の上に載置されている。つまり、接続金具５４０は、照明装置５００、第１の天井パネル４１０および第２の天井パネル４２０の上を跨いで設置されている。そして、例えば蝶ねじなどの雌ねじ５５９が第１の天井パネル４１０の雄ねじ４１３および第２の天井パネル４２０の雄ねじ４１３のそれぞれに螺合することで、接続金具５４０は、第１の天井パネル４１０および第２の天井パネル４２０の上部に取り付け固定されている。これにより、接続金具５４０は、第１の天井パネル４１０と第２の天井パネル４２０とを繋いでいる。
【００３０】
このとき、図３（ｂ）に表したように、接続金具５４０とカバー部５２０との間には、高さ調整手段５５１が介在している。高さ調整手段５５１としては、例えばライナなどが用いられる。あるいは、高さ調整手段５５１は、照明装置５００、第１の天井パネル４１０および第２の天井パネル４２０の少なくともいずれかの高さをねじなどにより調整可能な調整機構を有していてもよい。
【００３１】
これによれば、照明装置５００、第１の天井パネル４１０および第２の天井パネル４２０の少なくともいずれかが寸法誤差を有していても、高さ調整手段５５１は、照明装置５００の下面の高さ、第１の天井パネル４１０の下面の高さおよび第２の天井パネルの下面の高さを略一致させることができる。そのため、段差を抑えたより美しい浴室の天井構造４０が得られる。
【００３２】
また、図３（ｂ）および図４（ｂ）に表したように、照明装置５００は、照明装置５００自身の長尺方向に延在する補強材５５５を有する。補強材５５５は、例えばカバー部５２０の上面であって嵌合突起５２１の近傍の上面に付設されている。
これによれば、補強材５５５は、照明装置５００の上下方向の変形を抑えることができる。そのため、照明装置５００に長尺の光源を用いることができる。
【００３３】
本実施形態によれば、第１の天井パネル４１０および第２の天井パネル４２０の並列方向Ａ１に延在する長尺な照明装置５００を、第１の天井パネル４１０の端縁部および第２の天井パネル４２０の端縁部に配置することができる。これにより、洗い場１００の上方と浴槽２００の上方とを跨いで照明装置５００を設けることができる。そして、第１の天井パネル４１０の端縁部および第２の天井パネル４２０の端縁部を、壁材３００では支持できない一方で照明装置５００で支持することができる。これにより、強度および安定性を確保した浴室の天井構造４０を得ることができる。
【００３４】
また、照明装置５００は、洗い場１００および浴槽２００を跨ぐ比較的長い範囲から浴室内を照らすことができる。そのため、洗い場１００と浴槽２００とにおいて略同一の明るさを得ることができる。これにより、例えば洗い場１００で身体を洗っているときと、浴槽２００に浸かっているときと、で略同一の明るさを得ることができる。
【００３５】
また、照明装置５００は、第１の天井パネル４１０の被嵌合部４１１および第２の天井パネル４２０の図示しない被嵌合部と嵌合可能な嵌合突起５２１を有する。また、接続金具５４０は、照明装置５００、第１の天井パネル４１０および第２の天井パネル４２０の上を跨いで設置されている。これにより、照明装置５００と、第１の天井パネル４１０および第２の天井パネル４２０と、の間、ならびに第１の天井パネル４１０と、第２の天井パネル４２０と、の間に隙間が生ずることを抑えることができる。そのため、天井材４００においてシールが切れることを抑えることができる。また、照明装置５００と、第１の天井パネル４１０および第２の天井パネル４２０と、をより安定的に固定することができる。
【００３６】
次に、本実施形態にかかる浴室の天井構造を組み立て工程の一例について、図面を参照しつつ説明する。
図９〜図１３は、本実施形態にかかる浴室の天井構造を組み立て工程の一例を例示する模式的斜視図である。
【００３７】
まず、図９に表したように、壁材３００（第１〜４の壁パネル３１０、３２０、３３０、３４０）が洗い場１００の上に立設された状態において、照明装置本体５１０およびカバー部５２０を第２の壁パネル３２０の上端部に取り付け固定する。具体的には、照明装置本体５１０の図示しない貫通孔およびカバー部５２０の貫通孔５２３に第２の壁パネル３２０の雄ねじ３２１を通し、照明装置本体５１０およびカバー部５２０を第２の壁パネル３２０の上端部に載置する。そして、例えば蝶ねじなどの雌ねじ５５９を第２の壁パネル３２０の雄ねじ３２１と締結させる。
なお、図９〜図１３に表した壁材３００では、第１の壁パネル３１０がドア枠３１１を有している。
【００３８】
続いて、図１０に表したように、第１の天井パネル４１０を照明装置５００に支持させるとともに、第３の壁パネル３３０および第４の壁パネル３４０に取り付け固定する。具体的には、第１の天井パネル４１０の被嵌合部４１１をカバー部５２０の嵌合突起５２１と嵌合させる。また、第１の天井パネル４１０の第２の結合部４１６を第３の壁パネル３３０の上端部と嵌合させ、第１の天井パネル４１０の第３の結合部４１７を第４の壁パネル３４０の上端部と嵌合させる。
【００３９】
続いて、図１１に表したように、第２の天井パネル４２０を照明装置５００に支持させるとともに、第１の壁パネル３１０および第４の壁パネル３４０に取り付け固定する。具体的には、第２の天井パネル４２０の図示しない被嵌合部をカバー部５２０の嵌合突起５２１と嵌合させる。また、第２の結合部４２６を第１の天井パネル４１０の第４の結合部４１８と嵌合させる。さらに、第３の結合部４２７を第４の壁パネル３４０の上端部と嵌合させ、第４の結合部４２８を第１の壁パネル３１０の上端部と嵌合させる。
【００４０】
続いて、第１の天井パネル４１０および第２の天井パネル４２０の上部に接続金具５４０を取り付け固定する。具体的には、図１２に表したように、第２の天井パネル４２０に設けられた点検口４２９を通して、照明装置５００、第１の天井パネル４１０および第２の天井パネル４２０の上を跨いで接続金具５４０を設置する。そして、図１３に表したように、例えば蝶ねじなどの雌ねじ５５９を第１の天井パネル４１０の雄ねじ４１３および第２の天井パネル４２０の雄ねじ４１３と締結させる。
【００４１】
本実施形態の組み立て工程によれば、複数の天井パネル（第１の天井パネル４１０と第２の天井パネル４２０）が並ぶ方向に沿って、すなわち、天井パネル４１０，４２０が並ぶ方向と平行に、壁から壁まで達する長さの照明装置５００を天井に設置した浴室ユニットを容易に組み立て施工することができる。
また、天井パネル４１０，４２０を取り付ける前に照明装置５００を第２の壁パネル３２０に取付け固定するので、天井パネル４１０，４２０の壁パネルでは支持されない端部を照明装置５００で支持することができるので、２枚の天井パネル４１０，４２０を楽に施工することが可能となる。
【００４２】
また、点検口４２９を利用して第１の天井パネル４１０と第２の天井パネル４２０とを接続金具５４０で繋ぐので、楽に施工することが可能となる。
【００４３】
以上、本発明の実施の形態について説明した。しかし、本発明はこれらの記述に限定されるものではない。前述の実施の形態に関して、当業者が適宜設計変更を加えたものも、本発明の特徴を備えている限り、本発明の範囲に包含される。例えば、壁材３００、天井材４００および照明装置５００などが備える各要素の形状、寸法、材質、配置などや天井材４００および照明装置５００の設置形態などは、例示したものに限定されるわけではなく適宜変更することができる。例えば、天井パネルの結合部を壁パネルの上端部に嵌合させるのに代えて、付属設備本体５００と同様に、壁パネルの上端部に設けた雄ねじを天井パネルの結合部に形成した貫通孔を通して蝶ねじなどの雌ねじを螺合することで、取り付け固定してもよい。また、天井材４００は、２枚の天井パネル４１０，４２０を並べるのに代えて、３枚の天井パネルを付属設備本体５００の長尺方向に並べて配置させてもよい。
また、前述した各実施の形態が備える各要素は、技術的に可能な限りにおいて組み合わせることができ、これらを組み合わせたものも本発明の特徴を含む限り本発明の範囲に包含される。
【符号の説明】
【００４４】
１０、２０…浴室ユニット
４０…天井構造
１００…洗い場
２００…浴槽
３００…壁材
３１０…第１の壁パネル（第２の側壁）
３１１…ドア枠
３２０…第２の壁パネル（第１の側壁）
３２１…雄ねじ
３３０…第３の壁パネル（第３の側壁）
３４０…第４の壁パネル（第４の側壁）
４００…天井材
４１０…第１の天井パネル
４１１…被嵌合部
４１３…雄ねじ
４１５…第１の結合部
４１６…第２の結合部
４１７…第３の結合部
４１８…第４の結合部
４２０…第２の天井パネル
４２３…雄ねじ
４２５…第１の結合部
４２６…第２の結合部
４２７…第３の結合部
４２８…第４の結合部
４２９…点検口
５００…照明装置
５１０…照明装置本体
５２０…カバー部
５２１…嵌合突起
５２３…貫通孔
５３０…照明具
５４０…接続金具
５４１…貫通孔
５５１…調整手段
５５５…補強材
５５９…雌ねじ
【図１】
2014185432.tif 000003
【図２】
2014185432.tif 000004
【図３】
2014185432.tif 000005
【図４】
2014185432.tif 000006
【図５】
2014185432.tif 000007
【図６】
2014185432.tif 000008
【図７】
2014185432.tif 000009
【図８】
2014185432.tif 000010
【図９】
2014185432.tif 000011
【図１０】
2014185432.tif 000012
【図１１】
2014185432.tif 000013
【図１２】
2014185432.tif 000014
【図１３】
2014185432.tif 000015